(57)【要約】本発明は、コンピュータ本体とモニタとを接続するコンピュータ信号ケーブルの両端に形成される、フェライトコアを備えるＤサブコネクタに関し、特に、複数のフェライトコアがＤサブコネクタの内部に組み込まれ、非磁性体としての銅板が該複数のコアの間に挿入されている、フェライトコアを備えるＤサブコネクタに関する。本発明のＤサブコネクタの内部に組み込まれている複数のフェライトコアは、コアの厚さが従来の１／２となるように２つの部分に分けられ、磁化作用を弱くする非磁性体としての銅板が、該複数のコアの間に挿入されており、これにより、磁化作用は一層弱くなる。また、上記銅板を用いることにより、共通接地（ｃｏｍｍｏｎ ｇｒｏｕｎｄｉｎｇ）の働きをＤサブコネクタの内側で行わせることが可能になるので、従来よりも、作業性を最大にする二重の効果が得られる。さらに、本発明によれば、従来よりも解像度を劣化させる影響を与えることなくＥ．Ｍ．Ｉ効果を得ることができるので、鮮明な画像を得ることができると共に、短絡や内部破壊を完全に防いで、欠陥の割合を大きく減らすことができるという優れた効果が得られる。
2004508688.tif 000002
【特許請求の範囲】
【請求項１】
Ｄサブコネクタであって、
少なくとも３組のピンホールが形成されている複数のフェライトコアであって、その内の１組のピンホールが、結合した（ｉｎｃｏｒｐｏｒａｔｅｄ）２つのピンホールを含む、前記複数のフェライトコアと、
複数のコネクトピンが挿入される複数のピンホールが形成されている固定板（ｆｉｘｅｄ ｐｌａｔｅ）と、
金属シェル（ｍｅｔａｌ ｓｈｅｌｌ）に配置された絶縁体と、
を具備し、
複数のフェライトコアが前記Ｄサブコネクタの内部に配置され、
複数のピンホールが形成されている銅板が前記複数のフェライトコアの間に挿入され、
前記銅板の１つの面に、曲がった接地部が配置されており、
前記接地部が前記金属シェルに接地されている、
Ｄサブコネクタ。
【請求項２】
前記銅板に形成される複数のピンホールの直径が、ある幾つかのピンホールの直径はピン（４）と接触するように小さく、他の幾つかのピンホールの直径はピンと接触しないようにピンの直径より大きくなるように、互いに異なるように設定されている、請求項１記載のＤサブコネクタ。
【発明の詳細な説明】
【０００１】
発明の技術分野
本発明は、コンピュータ本体とモニタとを接続するコンピュータケーブルの両端に設置される、フェライトコアを有するＤサブコネクタに関し、特に、Ｄサブコネクタの内部に複数のフェライトコアが組み込まれ、コア間に非磁性体の銅板が挿入されたＤサブコネクタに関する。
【０００２】
背景技術
図１及び図２に示すように、従来のコンピュータケーブルは、電磁波の干渉を減少させるために、ケーブルの外側を被うように円柱状の合成樹脂でモールドされたフェライトコア３０がケーブルからぶら下がっているために、不恰好である。さらに、ケーブルがコンピュータ本体の背面に接続されている場合には、ケーブルに固定されたコアのためにケーブルが滑らかに曲がらないため、コアとケーブルとを接続するために、通常、筐体の背面にある程度のスペースを確保しなくてはならない。
【０００３】
そこで、以上の課題を解決するため、本発明者は、実用新案（韓国実用新案登録出願９３−２８３５０、９８−４６２７）を正式に提出している。さらに、本発明は、先の実用新案を改良し発展させるものであり、その効果と製造工程は、先の実用新案と比較にならないほど優れている。
【０００４】
正式に提出された実用新案の詳細を次に示す。まず、その解像度を改良するための実用新案（図３参照）は、Ｒ信号用ホールとＲ信号接地側ホール、Ｇ信号用ホールとＧ信号接地側ホール、及び、Ｂ信号用ホールとＢ信号接地側ホールとをそれぞれ結合して貫かれるようにピンホール１０を形成することにより、フェライトコアの影響によるインピーダンスの変化を排除し、モニタの解像度をコントロールするビデオカラー信号の立ち上がり時間、及び、立ち下がり時間を改良することにより、モニタの解像度に影響を与えることなしに、Ｅ．Ｍ．Ｉ．効果を得るためのものである。
【０００５】
しかしながら、フェライトコアが１つだけであり、そのフェライトコアが６ｍｍ程度の厚みを有しているので、適した効果を示すには、前述した先の実用新案はいくつかの問題がある。たとえ上述のフェライトコアが、図２に示す従来の技術と比較して、非常に優れた効果があるにしても、従来の半分以下の厚みの複数のフェライトコアを用い、非磁性体の銅板をこれらのコアで挟むようにしている本発明と比較して、かなり劣った効果となる。
【０００６】
さらに、作業性を改良するために考案された前述の実用新案（図４参照）は、より効果的に接地を行うために、伝導性の良い薄い接触材料１００を接地すべき複数のピンホール間に挿入することにより、簡単に複数のリード線の端子を共通に接地することができる。そのため、３つのリード線の接触端子が直径０．７ｍｍのピンホールに１つずつ溶接されている従来技術よりも、はるかに加工が容易になった。しかしながら、上述の実用新案にもまた、接触材料を簡単にピンホール間に挿入するためには、ピンホール間の間隙が狭すぎるという問題がある。
【０００７】
発明の概要
本発明は、コンピュータ本体とモニタとを接続するコンピュータケーブルの両端に設置される、フェライトコアを有するＤサブコネクタに関し、特に、Ｄサブコネクタの内部に複数のフェライトコアが組み込まれ、コア間に非磁性体の銅板が挿入されたＤサブコネクタに関する。
【０００８】
本発明のＤサブコネクタの内部に組み込まれている複数のフェライトコアは、従来の半分以下の厚みで作成され、また、磁化作用を弱める非磁性の銅板をコア間に挿入して、いっそう磁化作用を弱めている。加えて、上述した銅板を使うことにより、Ｄサブコネクトの内側において共通接地の作業を行うことができる。これにより、従来の技術よりも作業性を高めるという二重の効果を得ている。そのうえ、本発明においては、従来の技術よりも、より解像度へ影響を与えることなしに、Ｅ．Ｍ．Ｉ．効果を得ることができる。このように、ショート、又は、内部破壊を完全に防ぐと共に、鮮明な画像を得ることができる。
【０００９】
発明の実施の形態
Ｄサブコネクタは、少なくとも３組のピンホール１０が形成された複数のフェライトコアを有し、その内の１組が２つの結合したピンホールによって構成されている。また、Ｄサブコネクタは、複数のコネクトピン４を挿入するための複数のピンホール９が形成された固定板５と、フェライトコアと、金属シェル１、２に設置された絶縁体３とを有する。ここで、複数のフェライトコア６、７は、Ｄサブコネクタの内部に構成され、複数のピンホールが形成された銅板８は、フェライトコア６、７の間に挿入され、金属シェル２に接地される湾曲した接地部８’が銅板８の１つの面に配置されている。
【００１０】
前述の銅８に形成されたピンホールの直径はそれぞれ異なっており、ピンホール９’の直径はピン４に接触するように小さく、ピンホール９”の直径はピンに接触しないように設定されている。
【００１１】
次に、本発明の詳細な構成について説明する。
複数のコンタクトピンが１つのフェライトコアに形成されている、本発明者によって以前に出願された実用新案の作用効果について、以下に説明する（図３を参照）。
【００１２】
Ｄサブコネクタ内のフェライトコア６０に、複数のコンタクトピンを挿入するための複数のピンホールが設けられていて、これらのピンホールは、単独のピンを挿入するためのピンホール９と、複数のピンを挿入するためのピンホール１０とを含んでいる。ピンホール１０は、ビデオカラー信号であるＲ．Ｇ．Ｂ．信号を通すものである。通常、Ｒ．Ｇ．Ｂ．信号、即ち、コンピュータのカラー信号は同軸ケーブルで伝送され、同軸ケーブルは接地線を具備している。同軸ケーブルがそれぞれのピンホールに挿入されているときには、誘起されるインダクタンスが２倍になり、その部分で遅延が生じる。カラーブラウン管の場合、この遅延によって、シャドーマスクを通過する電子の偏向を生じさせ、これが色度の偏向となり、不十分な信号が再生される。
【００１３】
しかしながら、フェライトコアの内部で、ピンホールが延長して相互に接続されていると、インダクタンスは、通過の過程で磁気的に相殺されてゼロとなり、遅延が生じない。次に、さらに詳細な説明を以下に述べる。
【００１４】
図９は、フェライトコアを貫通する複数のコンタクトピンによる、インダクタンスを相殺する効果を示した図であり、フェライトコアのピンホールに２本のコンタクトピンが平行に挿入されている。矢印Ａのように１つのコンタクトピンに一方の方向の信号電流が流れると、他のコンタクトピンに反対の方向の信号電流が矢印Ｂのように流れる。そのため、これらのコンタクトピンの周りに４８と４９に示すように、磁力線が形成される。磁力線４８が右方向に回転すると、磁力線４９は反対の方向に回転する。フェライトコアの磁性体に囲まれている距離Ｌの部分における磁力線は、正（＋）と負（−）の相殺の結果、ゼロになる。よって、ピンホール１０の内部では、インダクタンスは相殺され、ゼロになる。したがって、インダクタンス素子が存在しないため、遅延は起こらず、高周波ノイズも生じない。遅延が起こらないので、画像がＣＲＴに再生されたときに、色度の偏向の影響を受けない鮮明な解像度の画像を得ることが可能になる。
【００１５】
即ち、Ｒ信号用ホール（ｒｅｄ　ｈｏｌｅ）とＲ信号用接地側ホール（ｒｅｄ　ｇｒｏｕｎｄ　ｈｏｌｅ）、Ｇ信号用ホール（ｇｒｅｅｎ　ｈｏｌｅ）とＧ信号用接地側ホール（ｇｒｅｅｎ　ｇｒｏｕｎｄ　ｈｏｌｅ）、Ｂ信号用ホール（ｂｌｕｅ　ｈｏｌｅ）とＢ信号用接地側ホール（ｂｌｕｅ　ｇｒｏｕｎｄ　ｈｏｌｅ）を各々貫通することで、インダクタンスの値がゼロになり、モニタの解像度に影響するビデオカラー信号の立ち上がり時間と立ち下がり時間における遅延が発生することがないため、解像度に悪影響しないだけでなく、大きなＥ．Ｍ．Ｉ．効果を得ることができる。
【００１６】
しかしながら、フェライトコアが、従来技術における厚みの２分の１以下に薄くするために複数の部分に分割され、銅のプレートがフェライトコアの間に挿入されるならば、ピンを通した場合に、磁化の作用を一層弱めることができ、従来技術に比してより磁力の影響を受けることのない鮮明な解像度の画像をＣＲＴ上に再生することができる。
【００１７】
本発明者によって出願された実用新案においては、Ｄサブコネクタ内のフェライトコアの厚みは一般に６ｍｍであったが、本発明においては、約２ｍｍから３ｍｍの厚みの複数のフェライトコアが組み合わされ、これらのコアの間に銅のプレートが挿入されている。そのため、本発明は、磁化の作用を弱める効果において優れ、従来技術に比べ、解像度に与える磁力の影響が少ない。通常、フェライトコアのサイズが大きいほど、磁化される作用も大きくなる。よって、本発明に係るフェライトコアは、従来技術に比べて半分の大きさで、磁化される作用を減じている。とりわけ、高熱の工程のために、フェライトコアは亀裂を生じ、いっそう磁気作用を弱めており、カラー信号はロスを生じることなく送信される。そのうえ、複数のコアの間に銅のプレートが挿入されており、磁気の影響をさらに抑えることができる。また、先に出願した実用新案においては、伝導性のよい配線を用いて接地用のピンホールのみを複数のピンホールの間で接地しているが、ピンホールの間の極端な狭さのために作業が困難なのに対して、本発明においては、Ｄサブコネクタの内部において、銅のプレートがリード線の端子に接続可能であり、磁気の作用を弱めている。
【００１８】
しかしながら、本発明においては、複数のフェライトコアの間に、すべてのピンを貫通させるような複数のピンホール（通常は１５個のピンホール）が形成された非磁性体の銅のプレートが挿入されていて、接地されるピンが通るピンホール９’の直径は、ピンに接触させるためにピンの直径より小さく形成されており、接地されないピンの通るピンホール９”の直径は、ピンの直径よりも大きく形成されているため、接地されたピンだけを用いて銅のプレートを容易に接地することができる。
【００１９】
上述のように、本発明によれば、銅のプレートを用いて容易に共通接地（ｃｏｍｍｏｎ　ｇｒｏｕｎｄｉｎｇ）を実行することができるため、全体の作業性は最大になる。そのうえ、リード線の端子も、Ｄサブコネクタの内部で共通に接地でき、短絡や内部崩壊を完全に防ぐことができるので、従来技術に比べ、欠陥品の割合を大きく減少させることが可能になる。
【００２０】
ピンが銅のプレートのピンホールに接触すると、より安定に接触するために接触部分は溶接される。銅のプレートの厚みは、およそ０．３ｍｍから０．４ｍｍが望ましい、このプレートの素材は、伝導度が優れている限り、銀やアルミニウムのような物質でもよい。本発明の目的は、磁化の効果を弱めることの他に、接地用ホールを容易に接地することなので、接地ユニット８’が銅のプレートの１つの面のいずれかの部分に設けられていて、金属シェルに接触するように屈曲していれば、接地を容易に行うことができる。
【００２１】
産業上の利用可能性
従来技術に係るケーブルは、フェライトコアがケーブルから垂れ下がっているため、不格好である。しかしながら、本発明に係るケーブルのように、フェライトコアをＤサブコネクタの内部に作ると、その外観はたいへんシンプルになる。本発明に係るフェライトコアは、どの種類のモニタにも用いることができ、時代の感覚にしたがって、急速に成長しているＬＣＤモニタに、特に適合する。
【００２２】
本発明においては、複数のフェライトコアがＤサブコネクタの内部に設けられ、それらのコアの間に銅のプレートが挿入される。フェライトコアは、厚みが従来技術の２分の１以下になるように、２つの部分に分かれており、銅のプレートは、磁化を減じるために、非磁性体になっている。したがって、本発明によれば、より大きなフェライトコアを用いる従来技術に比して、磁化の作用を弱めることが可能になる。また、フェライトコアが作られる際に、強い熱を伴う塑性工程が必要になるため、コアの表面の組織に亀裂が形成され、磁化の作用をさらに弱める。さらに、銅のプレートは、Ｄサブコネクタの内部で共通接地のために機能し、同時に磁化の作用を弱めるので、従来技術に比して、作業性を高める二重の効果を有し、解像度に影響を与えることなく大きなＥ．Ｍ．Ｉ．効果を得ることができ、鮮明な画像を得ることが可能となる。そのうえ、短絡や内部崩壊を完全に防止することができ、従来技術に比して、欠陥品の割合を大きく下げることが可能となり、本発明の効果は絶大である。
【図面の簡単な説明】
【図１】
フェライトコアを有する従来のケーブルを示す斜視図である。
【図２】
従来技術におけるフェライトコアを示す斜視図である。
【図３】
本発明者により出願された実用新案登録出願９３−２８３５０の実用新案を示す分解図である。
【図４】
本発明者により出願された実用新案登録出願９８−４６２７の実用新案の本質部分である接触材料が付加されたＤサブコネクタの端子の背面図である。
【図５】
本発明のＤサブコネクタを示す斜視図である。
【図６】
本発明のＤサブコネクタを示す分解図である。
【図７】
本発明の本質部分の銅板を示す斜視図である。
【図８】
本発明のＤサブコネクタの断面図である。
【図９】
フェライトコアを貫くコネクトピン間のインダクタンスを示す詳細図である。
【符号の説明】
１、２　金属シェル
３　絶縁体
４　コネクトピン
５　固定板
６、７　フェライトコア
８　銅板
８’　基板部分
９、９’、９”、１０　ピンホール
３０、６０　フェライトコア
４８、４９　磁力線
１００　接触物質
【図１】
2004508688.tif 000003
【図２】
2004508688.tif 000004
【図３】
2004508688.tif 000005
【図４】
2004508688.tif 000006
【図５】
2004508688.tif 000007
【図６】
2004508688.tif 000008
【図７】
2004508688.tif 000009
【図８】
2004508688.tif 000010
【図９】
2004508688.tif 000011
【国際公開パンフレット】
2004508688.tif 000012
2004508688.tif 000013
2004508688.tif 000014
2004508688.tif 000015
2004508688.tif 000016
2004508688.tif 000017
2004508688.tif 000018
2004508688.tif 000019
2004508688.tif 000020
2004508688.tif 000021
2004508688.tif 000022
2004508688.tif 000023
2004508688.tif 000024
2004508688.tif 000025
【国際調査報告】
2004508688.tif 000026
2004508688.tif 000027